(57)【要約】【課題】  操作性に優れた戸を提供する。【解決手段】  戸本体と、エッジ材とを備え、戸本体は、表面側見付面に手掛部を有し、裏面側見付面に裏面側突出部を有し、手掛部と裏面側突出部との間に指挿入空間を有し、手掛部は、戸本体の長手方向に設けてあり、エッジ材は少なくとも手掛部の先端を覆い、裏面側に滑り止め部を有する。【選択図】      図１
2019078078.tif 000002
【特許請求の範囲】
【請求項１】
戸本体と、エッジ材とを備え、戸本体は、表面側見付面に手掛部を有し、裏面側見付面に裏面側突出部を有し、手掛部と裏面側突出部との間に指挿入空間を有し、手掛部は、戸本体の長手方向に設けてあり、エッジ材は少なくとも手掛部の先端を覆い、裏面側に滑り止め部を有することを特徴とする戸。
【発明の詳細な説明】
【技術分野】
【０００１】
本発明は、戸に関する。
【背景技術】
【０００２】
把手を取り付ける代わりに手掛部を設けた戸がある。このような従来の戸は、手掛部に指を掛けて戸を開く際、指が滑って手掛部から外れるおそれがあり、操作性の優れるものが求められていた。
【先行技術文献】
【特許文献】
【０００３】
【特許文献１】特開２０１４−４７５９２号公報
【発明の概要】
【発明が解決しようとする課題】
【０００４】
本発明は上記実情に鑑み、操作性に優れた戸を提供することを目的とする。
【課題を解決するための手段】
【０００５】
本発明の戸は、戸本体と、エッジ材とを備え、戸本体は、表面側見付面に手掛部を有し、裏面側見付面に裏面側突出部を有し、手掛部と裏面側突出部との間に指挿入空間を有し、手掛部は、戸本体の長手方向に設けてあり、エッジ材は少なくとも手掛部の先端を覆い、裏面側に滑り止め部を有することを特徴とする。
【発明の効果】
【０００６】
本発明によれば、エッジ材は少なくとも手掛部の先端を覆い、裏面側に滑り止め部を有するため、戸を開く際に手掛部から指が滑り難く、操作性に優れる。
【図面の簡単な説明】
【０００７】
【図１】（ａ）は図２のＡ−Ａ線断面図、（ｂ）は要部の拡大図である。
【図２】戸の正面図である。
【図３】図２のＢ−Ｂ線断面図である。
【図４】滑り止め部への指の掛かり方を説明するための操作の軌跡図である。
【図５】（ａ）（ｂ）（ｃ）は滑り止め部への指の掛かり方を説明するための要部拡大図である。
【発明を実施するための形態】
【０００８】
以下、本発明の実施の形態を図面に基づいて説明する。本発明に係る戸は、戸本体１とエッジ材２を備え、例えば縦枠３ａと横枠３ｂによって枠組みされた枠体に取り付けられる。戸は様々な場所に設置可能なものであるが、ここでは二つの戸を蝶番４によって連結させて折戸とし、クローゼット等の開閉に用いる場合を示す。なお、以下において折戸を操作する側を表面側としており、図２は表面側から見た正面図である。
【０００９】
戸本体１は、図１に示すように、左右一方側端部において、表面側見付面１０ａに手掛部１１を設けてあり、裏面側見付面１０ｂに裏面側突出部１２を設けてあり、手掛部１１と裏面側突出部１２の間に指挿入空間Ｓが形成してある。戸本体１の左右他方側端部は、表面側の角部が面取りされて、指を挟み難くしてある。戸本体１は、例えばＬＶＬ等の芯材の外周にＭＤＦ等の表面材を巻き付けて形成したものであり、表面には化粧シートや各種塗装が施されていてもよい。
手掛部１１は、戸本体１の長手方向に設けてあり、戸本体１の一方の側部から左右方向へ突出させてある。手掛部１１の表面側は、戸本体１の表面側見付面１０ａを左右方向に延出させてあり、裏面側は先端部から基部に向かって肉厚となるように傾斜面１１ａが形成してあるため、断面視すると左右方向へ山型に突出した形状である。
裏面側突出部１２は、戸本体１の長手方向に亘って設けてあり、見込面である固定壁１３を挟んで手掛部１１の裏面側に位置し、手掛部１１と同じ方向へ突出させてある。裏面側突出部１２の裏面側は、手掛部１１と同じ方向へ戸本体１の裏面側見付面１０ｂを延出させてある。
指挿入空間Ｓは、手掛部１１の傾斜面１１ａと、固定壁１３と、裏面側突出部１２の表面によって囲まれた空間である。固定壁１３から手掛部１１の先端部までの長さは、裏面側突出部１２の端部までの長さよりも短いので、指挿入空間Ｓに表面側から指を挿し込むことができる。
【００１０】
本実施形態のように折戸とする場合は、図１及び図２に示すように、左右二つの戸が、蝶番４によって回動自在に連結してあり、表面側へ折り畳まれて開閉される。蝶番４は、戸の裏面側突出部１２に裏面側からネジ止めされ、二つの戸本体１，１の裏面側突出部１２，１２を隣接させて連結する。折戸を閉じた状態では、二つの戸本体１，１の指挿入空間Ｓ，Ｓは対向する。そして図３に示すように、戸本体１の上部には吊り車５と、下部には下部ガイド６が取り付けてあり、それぞれが横枠３ｂに設けた上レール７と床面９に設けた下レール８にガイドされることによって戸本体１が摺動自在としてある。
【００１１】
エッジ材２は、手掛部１１の長手方向全長に亘って設けてあり、少なくとも手掛部１１の先端を覆って手掛部１１を保護するものである。図１（ｂ）に示すように、エッジ材２は、先端カバー部２１と滑り止め部２２と傾斜部２３と固定部２４から構成される。先端カバー部２１は、エッジ材２の表面側端部に位置し、手掛部１１の先端を覆う。先端カバー部２１の表面側見付面２１ａと手掛部１１の表面側見付面１０ａは面一である。先端カバー部２１の表面側見付面２１ａは左右方向の寸法を小さくしてあるので、戸を閉じた状態で正面から視認される面積が小さく意匠性に優れる。先端カバー部２１の裏面側には滑り止め部２２が形成されている。滑り止め部２２は、例えば表面に凹凸を設けたものや、滑りにくい材質のものを用いたり、滑り止め材を貼付又は塗布したものを用いてもよく、本実施形態のように裏面側に突出する突部としてもよい。エッジ材２は、固定部２４が指挿入空間Ｓの見込面、言い換えれば、戸本体１の固定壁１３にネジ止めされて取り付けてある。固定部２４はエッジ材２の裏面側端部に位置し、見込方向に延びている。固定部２４と先端カバー部２１の間は手掛部１１の傾斜面１１ａに沿う傾斜部２３となっている。エッジ材２の先端カバー部２１、滑り止め部２２、傾斜部２３、固定部２４及び戸本体１の裏面側突出部１２の見付面１２ａによって囲まれた空間が指挿入空間Ｓとなる。なおエッジ材２は、例えばアルミニウム合金の押出形材等を用いて形成することができる。
【００１２】
次に、折戸を開く操作の際の滑り止め部２２への指の掛かり方を図４及び図５に基づいて説明する。図４は折戸を閉じた状態から、操作者が表面側から左側の戸の手掛部１１に指を掛け表面側へ戸を引くことによって折戸が開くまでの軌跡を示している。図５（ａ）（ｂ）（ｃ）は図４のうち最初の状態と途中の状態及び最後の状態における要部を拡大して示しており、一点鎖線は滑り止め部２２の突出方向と指先の挿入方向を示し、矢印は指が手掛部１１を引く方向を示す。なおこの折戸は右側の戸が回動自在に固定されたピボットタイプの折戸である。
まず、折戸を閉じた状態で操作者が手掛部１１に手を掛けた際には、滑り止め部２２である突部は左右方向に対して略垂直方向の裏面側に向けて突出しており、指挿入空間Ｓは正面及び側方に開口している。図５（ａ）に示すように、手掛部１１に掛けた手を手前に引きながら戸を開いていくと、滑り止め部２２の突出方向は左右方向となす角度が小さくなるように傾いていく。折戸は引戸や開き戸と異なり、左右方向の移動と回動が組み合わされた動きによって引き出されるように戸が開く。図５（ｂ）のような戸を開く途中の状態において、使用者は指挿入空間Ｓの開口方向に向けて手掛部１１を引くことになるため、指挿入空間Ｓのみでは手掛部１１から指が滑りやすいが、本発明の戸を用いた折戸では、図４及び図５に示すように、滑り止め部２２が指挿入空間Ｓ内の指先の挿入方向と交差する方向に突出しているため、操作の最初から最後まで指先が滑り止め部２２にしっかりと引っ掛かり、容易に戸を開けることができる。
【００１３】
このように構成した戸によれば、エッジ材２は少なくとも手掛部１１の先端を覆い、裏面側に滑り止め部２２を有するため、戸を開く際に手掛部１１から指が滑り難く、操作性に優れる。また、手掛部１１は、戸の開け閉めが繰り返し行われることによる表面の摩耗や損傷を防ぐこともできる。滑り止め部２２は裏面側に向けて突出した突部であり、この構成により、突部に指が掛かることで指の滑りを一層防止することができる。
エッジ材２は、指挿入空間Ｓの見込面、言い換えれば戸本体１の固定壁１３に固定してあるので、エッジ材２を固定するネジが目立たず、意匠性に優れる。また、エッジ材２を手掛部１１の長手方向全長に設ければ、長手方向の任意の位置で操作可能となり、操作する者の身長に関わらず使い勝手に優れる。
さらに、戸を連結させて折戸とした場合、連結した戸の何れのエッジ材２に指を掛けても滑り止め部２２にしっかりと引っ掛かるため、指が滑ることなく容易に戸を開けることができる。
【００１４】
本発明は、上記の実施形態に限定されない。例えば、折戸は左右の一端を固定させたピボットタイプのものに限らず、左右を移動自在なフリータイプのものであってもよい。左右二枚の戸が蝶番で連結された二枚折戸に限らず、二枚折戸を左右に複数配置するものや、三枚折り以上の折戸に適用することもできる。また、折戸に限らず開き戸や引戸等であってもよい。
【符号の説明】
【００１５】
１      戸本体
１１    手掛部
１２    裏面側突出部
１３    固定壁
２      エッジ材
２１    先端カバー部
２２    滑り止め部
２３    傾斜部
２４    固定部
Ｓ      指挿入空間
【図１】
2019078078.tif 000003
【図２】
2019078078.tif 000004
【図３】
2019078078.tif 000005
【図４】
2019078078.tif 000006
【図５】
2019078078.tif 000007